(57)【要約】      （修正有）【課題】ウォーターサーバーに飲料用液体の入ったビニール袋を交換する際に、ビニール袋に孔を開けるニードルの先端で怪我をする恐れが少ないニードルを提供する。【解決手段】飲料用液体の入ったビニール袋に孔を開けて飲料用液体をタンクへと送るニードル１であって、前記ニードルは、先端が尖った先細り形状で、先端部分の側面に開口２４，２５を有し、底面は開放されて、内部には前記開口から底面へと通じる通路を有し、さらに、側面から水平方向に延びる鍔部が形成され、スプリング２２によって前記ニードルの鍔部に下方へと力が加えられる。これにより、前記ニードルはボトルホルダー３の底部の底面へと押し付けられ、前記ニードルの先端は前記ボトルホルダーの底面より下方に位置し、前記ニードルに上方への力が加えられると前記ニードルは、上方へと移動して前記ニードルの先端が前記ボトルホルダーの底面の中央に設けられた開口から上方へと突出する。【選択図】図２
0003164948.tif 000002
【実用新案登録請求の範囲】
【請求項１】
飲料用液体を貯留するタンクを内蔵し、飲料用液体の入ったビニール袋をセットするボトルホルダーを備えるウォーターサーバーに用いられ、前記飲料用液体の入ったビニール袋に孔を開けて飲料用液体を前記タンクへと送るニードルであって、
前記ニードルは、先端が尖った先細り形状で、先端部分の側面に開口を有し、底面は開放されて、内部には前記開口から開放された底面へと通じる飲料用液体の通路を有し、さらに、側面から水平方向に延びる鍔部が形成され、
前記ニードルは、側壁とすり鉢状の底面を有し、前記すり鉢状の底面の中央には下方へと延びる円筒形の底部が設けられ、前記すり鉢状の底面の中央には、前記円筒形の底部へと通じる開口が設けられている前記ボトルホルダーの底部に上下動可能に取り付けられており、
前記円筒形の底部の中に配置された弾性体が、前記ニードルの鍔部に下方へと力を加えることにより、前記ニードルは前記底部の底面へと押し付けられており、この時、前記ニードルの先端は前記ボトルホルダーの底面より下方に位置し、
前記ニードルに上方への力が加えられると前記ニードルは、上方へと移動して前記ニードルの先端が前記ボトルホルダーの底面の中央に設けられた前記開口から上方へと突出することを特徴とするニードル。
【請求項２】
先端に段差が設けられたことを特徴とする請求項１に記載のニードル。
【請求項３】
縦方向に設けられた仕切り壁によって内前記通路が２つの通路に仕切られており、先端部分の側面には前記２つの通路のいずれかに通じる２つの開口が設けられていることを特徴とする請求項１または２に記載のニードル。
【請求項４】
上下動することによって前記通路を開閉する弁が前記ニードル内部に設けられ、前記弁は垂直方向に形成された壁体と、前記壁体の途中に形成された鍔状の弁体とから構成され、前記ニードル内部に配置された弾性体によって、前記弁体は前記ニードル内部に設けられた水平方向の壁を貫通する開口を塞いでおり、前記ニードルに加えられた上方への力が前記壁体にも加えられると、前記弁体は上方へと移動して前記開口が開かれ、そして前記前記壁体が前記仕切り壁と上下に重なることにより、２つの通路が前記開口を貫通するように形成されることを特徴とする請求項３に記載のニードル。
【請求項５】
前記ボトルホルダーをウォーターサーバーのパッキングホルダーにセットした時に、前記パッキングホルダーに配置された内部に通路を有する挿入棒によって、前記ニードルに上方への力が加えられることを特徴とする請求項１〜４のいずれか1項に記載のニードル。
【考案の詳細な説明】
【技術分野】
【０００１】
本考案は、ビニール袋に入れられた飲料用液体を供給するウォーターサーバーに使用するニードルに関する。
【背景技術】
【０００２】
従来のウォーターサーバーは、ボトルに飲料用液体、例えば飲料水を入れて、ウォーターサーバーの利用者に配布し、利用者は飲料水の入ったボトルをウォーターサーバーの上部にセットする。そして、水を飲む時にウォーターサーバーのスイッチを押すと、飲料水が供給されるという装置であった。このようなものとしては、特許文献１に記載されているものがある。
【０００３】
ボトルの代わりにビニール袋を用いたウォーターサーバー（特許文献２参照）も存在する。特許文献２に記載のウォーターサーバーでは、スパイクを用いてビニール袋に孔を開けて、飲料水をビニール袋からウォーターサーバーへと供給する構造が用いれている。
【先行技術文献】
【特許文献】
【０００４】
【特許文献１】特開２００７−２１０６６７号公報
【特許文献２】特開２０１０−１４３６３０号公報
【考案の概要】
【考案が解決しようとする課題】
【０００５】
しかしながら、スパイクを用いる場合、スパイクの先端はビニール袋に孔を開けるために先端が尖った形状を用いており、このような先端が尖ったスパイクがビニール袋をセットするボトルホルダーの底面から突出した状態となっている。そのために、ビニール袋を交換する際に利用者がスパイクによって怪我をする可能性があった。
【０００６】
そこで、本考案は前記問題を解決するために、スパイクの代わりに、ビニール袋をセットする時にはボトルホルダーの底面から突出せずに、ビニール袋をセットしたら突出してビニール袋に孔を開けることができるニードルを提供することを目的とする。
【課題を解決するための手段】
【０００７】
本考案のニードルは、飲料用液体を貯留するタンクを内蔵し、飲料用液体の入ったビニール袋をセットするボトルホルダーを備えるウォーターサーバーに用いられ、前記飲料用液体の入ったビニール袋に孔を開けて飲料用液体を前記タンクへと送るニードルであって、前記ニードルは、先端が尖った先細り形状で、先端部分の側面に開口を有し、底面は開放されて、内部には前記開口から開放された底面へと通じる飲料用液体の通路を有し、さらに、側面から水平方向に延びる鍔部が形成され、前記ニードルは、側壁とすり鉢状の底面を有し、前記すり鉢状の底面の中央には下方へと延びる円筒形の底部が設けられ、前記すり鉢状の底面の中央には、前記円筒形の底部へと通じる開口が設けられている前記ボトルホルダーの底部に上下動可能に取り付けられており、前記円筒形の底部の中に配置された弾性体が、前記ニードルの鍔部に下方へと力を加えることにより、前記ニードルは前記底部の底面へと押し付けられており、この時、前記ニードルの先端は前記ボトルホルダーの底面より下方に位置し、前記ニードルに上方への力が加えられると前記ニードルは、上方へと移動して前記ニードルの先端が前記ボトルホルダーの底面の中央に設けられた前記開口から上方へと突出することを特徴とする。
【０００８】
前記ニードルの先端に段差が設けられてもよく、さらに、縦方向に設けられた仕切り壁によって内前記通路が２つの通路に仕切られており、先端部分の側面には前記２つの通路のいずれかに通じる２つの開口が設けられていてもよい。
【０００９】
また、上下動することによって前記通路を開閉する弁が前記ニードル内部に設けられ、前記弁は垂直方向に形成された壁体と、前記壁体の途中に形成された鍔状の弁体とから構成され、前記ニードル内部に配置された弾性体によって、前記弁体は前記ニードル内部に設けられた水平方向の壁を貫通する開口を塞いでおり、前記ニードルに加えられた上方への力が前記壁体にも加えられると、前記弁体は上方へと移動して前記開口が開かれ、そして前記前記壁体が前記仕切り壁と上下に重なることにより、２つの通路が前記開口を貫通するように形成することができる。
【００１０】
前記ボトルホルダーをウォーターサーバーのパッキングホルダーにセットした時に、前記パッキングホルダーに配置された内部に通路を有する挿入棒によって、前記ニードルに上方への力が加えられる。
【考案の効果】
【００１１】
本考案のニードルは、飲料用液体を貯留するタンクを内蔵し、飲料用液体の入ったビニール袋をセットするボトルホルダーを備えるウォーターサーバーに用いられ、前記飲料用液体の入ったビニール袋に孔を開けて飲料用液体を前記タンクへと送るニードルであって、前記ニードルは、先端が尖った先細り形状で、先端部分の側面に開口を有し、底面は開放されて、内部には前記開口から開放された底面へと通じる飲料用液体の通路を有し、さらに、側面から水平方向に延びる鍔部が形成され、前記ニードルは、側壁とすり鉢状の底面を有し、前記すり鉢状の底面の中央には下方へと延びる円筒形の底部が設けられ、前記すり鉢状の底面の中央には、前記円筒形の底部へと通じる開口が設けられている前記ボトルホルダーの底部に上下動可能に取り付けられており、前記円筒形の底部の中に配置された弾性体が、前記ニードルの鍔部に下方へと力を加えることにより、前記ニードルは前記底部の底面へと押し付けられており、この時、前記ニードルの先端は前記ボトルホルダーの底面より下方に位置し、前記ニードルに上方への力が加えられると前記ニードルは、上方へと移動して前記ニードルの先端が前記ボトルホルダーの底面の中央に設けられた前記開口から上方へと突出することにより、前記ニードルに上方への力が加わえられなければ、前記ニードルの先端がボトルホルダーの底面から突出しないので、使用者がボトルホルダーからビニール袋を出し入れする際にニードルの先端で怪我をすることが無くなり、安全に使用することが可能となる。
【００１２】
前記ニードルの先端に段差が設けられていることにより、ビニール袋に簡単に孔を開けることができ、孔の開いたビニール袋が前記ニードルに密着して飲料用液体が漏れることがなくなる。
【００１３】
さらに、上下動することによって前記通路を開閉する弁が前記ニードル内部に設けられ、前記弁は垂直方向に形成された壁体と、前記壁体の途中に形成された鍔状の弁体とから構成され、前記ニードル内部に配置された弾性体によって、前記弁体は前記ニードル内部に設けられた水平方向の壁を貫通する開口を塞いでおり、前記ニードルに加えられた上方への力が前記壁体にも加えられると、前記弁体は上方へと移動して前記開口が開かれ、そして前記前記壁体が前記仕切り壁と上下に重なることにより、２つの通路が前記開口を貫通するように形成することにより、弁によってニードル内部の通路を塞ぐことが可能となり、ビニール袋を交換する際に飲料用液体が漏れるのを防ぐことができる。
【図面の簡単な説明】
【００１４】
【図１】本考案のニードルが用いられるウォーターサーバーの正面図である。
【図２】ボトルホルダーに取り付けられた状態の本考案のニードルの断面図である。
【図３】ニードルを分解した状態の断面図である。
【図４】ボトルホルダーの断面図である。
【図５】パッキングホルダーの断面図である。
【図６】パッキンの図面であり、（ａ）が平面図、（ｂ）が断面図である。
【図７】ニードルを取り付けたボトルホルダーをパッキングホルダーにセットする直前の状態を示す断面図である。
【図８】ニードルを取り付けたボトルホルダーをパッキングホルダーにセットする途中の状態を示す断面図である。
【図９】ニードルを取り付けたボトルホルダーをパッキングホルダーにセットした状態を示す断面図である。
【図１０】ウォーターサーバーの上半分の内部構造を示す断面図である。
【図１１】ニードルを飲料用液体が流れる状態を示す断面図であり初期の状態を示す図である。
【図１２】ニードルを飲料用液体が流れる状態を示す断面図でありビニール袋内の飲料用液体が少なくなってきた状態を示す図である。
【図１３】ウォーターサーバーの使用状況を示す図であり、コップに飲料用液体を入れている状態を示す。
【考案を実施するための形態】
【００１５】
本考案を、図を用いて以下に詳細に説明する。図１が本考案のニードル１が用いられるウォーターサーバー１０の正面図であり、内部構造の一部を破線を用いて示している。図２に示すのが本考案のニードル１（ボトルホルダー３の一部を含む）の断面図であり、図３がニードル１を分解した状態の断面図である。
【００１６】
本考案のニードル１が用いられるウォーターサーバー１０は、図１に示すように、本体２と、本体２の上部にセットされるボトルホルダー３から構成される。前記本体２の内部には、飲料用液体を冷却する冷却タンク４および飲料用液体を温める加熱タンク５を内蔵し、正面には冷やされた飲料用液体あるいは温められた飲料用液体を供給する２つの供給口６，７が設けられている。ここでは、飲料用液体として飲料水を用いる場合について説明するが、飲料水に限らずその他の飲料用液体を用いることも可能である。
【００１７】
前記冷却タンク４では本体２に内蔵された冷却装置によって飲料水が所定の温度に冷やされ、前記加熱タンク５では本体２に内蔵されたヒーターによって飲料水が所定の温度に温められる。ここでは、前記冷却タンク４の容量を２．２Ｌ、前記加熱タンク５の容量を２Ｌとし、前記冷却タンク４の下に前記加熱タンク５が配置され、前記冷却タンク５に送られてきた飲料水が前記加熱タンク５に流れる構造となっている。前記供給口６，７は、冷水を供給する供給口６と温水を供給する供給口７とに分かれているが、１つの供給口で冷水と温水を切り替える構造としてもよい。
【００１８】
図４に示すように、前記ボトルホルダー３は側壁とすり鉢状の底面と、前記底面の裏面から下方へと延びる円筒形状の底部１５と、蓋１３とから構成される。前記蓋１３には窪みを設けて取っ手を形成している。前記底部１５の頂部は開口が設けられ、底は開放されているが、本考案のニードル１を取り付けるために、前記底は中央に開口を有するキャップ３３で塞がれている。前記ボトルホルダー３は、飲料水の入ったビニール袋９が変形するのを防ぐために保持する働きを有しており、また、ビニール袋９が万が一破れた場合に、中の飲料水が周囲に流出するのを防ぐ働きもする。そして、前記底部１５に本考案のニードル１が上下動可能に取り付けられる。
【００１９】
前記本体２の上部の開口には、図１０に示すように、前記本体２の上部の開口を塞ぎ、前記ボトルホルダー３を保持し、飲料水を前記ボトルホルダー３から冷却タンク４へと流出させるすり鉢状のパッキングホルダー８が設けられ、前記パッキングホルダー８が前記冷却タンク４と接続されている。図５に示すように、前記パッキングホルダー８のすり鉢状の底面の中央には下方へと円筒形に延びる窪み３２が形成されている。そして、前記窪み３２の頂部は開放されており、底部には開口が設けられ、前記開口には内部に飲料用液体の通路が垂直方向に設けられた挿入棒３５が前記開口を貫通するように配置されており、取り付けは例えば前記挿入棒３５鍔の部分をネジ等を用いて固定する方法が用いられる。さらに、前記窪み３２を取り囲み、前記冷却タンク４の開口と接続される円筒形の接続部３７を設けている。前記パッキングホルダー８の接続部３７と前記冷却タンク４の開口との接続には止水性を考慮してパッキン１４を用いている。
【００２０】
前記パッキン１４として、例えば図６に示すように、リング状で、内周面には前記接続部３７に嵌め込む溝３８を設け、外周面には上下２段の鍔３９，４０を設けており、前記鍔３９，４０は上段の鍔３９が下段の鍔４０よりも外周が大きく形成されているものを用いる。これにより、前記２段の鍔３９，４０が共に上方へ変形し、前記冷却タンク４と前記パッキングホルダー８との間の止水性が確保される。特に、２段の鍔３９，４０を用いることで、より止水性が高められる。
【００２１】
本考案のニードル１は、図２、１０に示すように、前記ボトルホルダー３の底部１５に取り付けられており、先端が尖った先細り形状で、鍔部を有するものである。そして前記ニードル１は、図３に示すように、先細り形状の上部本体１６と円筒形状の下部本体１７の上下２分割可能な構造であり、前記上部本体１６の先端は前記ビニール袋に孔を開けるために尖っており、かつ左右で段差のある形状となっている。前記上部本体１６と前記下部本体１７とはネジ係合によって分割可能に係合しており、前記上部本体１６の下端に設けられた鍔部１８に形成された円筒形状で内部にネジ山を有する係合部１９と、前記下部本体１７の上端に設けられた鍔部２０の外周に形成された係合部２１とがネジ係合する構造を用いている。ここでは後述する弁２７を内蔵するために分割する構造を用いているが、弁２７を用いない場合は一体式とすることができる。
【００２２】
図３に示すように、前記上部本体１６の鍔部１８の上面は弾性体であるスプリング２２を保持しており、前記スプリング２２によってニードル１には下方への力が加えられるるが、上方への力が加えられると前記スプリング２２が収縮して前記底部１５ないで上方へと移動する。これにより、前記ニードル１は前記底部１５内で上下動可能となっている。
【００２３】
そして、前記上部本体１６の内部には先端から下方へと垂直方向に延びる仕切り壁２３が設けられている。前記仕切り壁２３によって、前記上部本体１６の内部の上方は２つの通路に仕切られているが、前記仕切り壁２３は途中までしか形成されておらず、前記上部本体１６の内部の下方は１つの空間となっている。ここでは前記弁２７を用いるために、仕切り壁２３は途中までしか形成されていないが、弁２７を用いない場合は、仕切り壁によって前記上部本体１６の内部全体をを２つの通路に分割することができる。さらに、前記上部本体１６の先端部分の側面には２つの開口２４，２５が形成されており、前記仕切り壁２３によって仕切られた２つの通路に1つずつ繋がるように配置されている。
【００２４】
図３に示すように、前記下部本体１７の鍔部２０の中央には飲料水の通路となる開口２６が形成されており、前記開口２６は平面形状が円形で、断面は下方に向かって径が小さくなるテーパー状となっている。前記上部本体１６の内部には、前記下部本体１７の開口２６を開閉する弁２７が配置されている。前記弁２７は、前記上部本体１６の仕切り壁２３と接続され、前記上部本体１６内の下方の空間に複数の通路を形成する壁体２８と、前記下部本体１７の開口２６を塞ぐ弁体２９から構成され、前記上部本体１６内で上下動することで、前記開口２６を開閉する。
【００２５】
前記壁体２８は垂直方向に形成された２つの壁を十字に組み合わせたものであり、１つの壁が前記上部本体１６の内部の仕切り壁２３と上下に重なる位置に配置されている。もう1つの壁は壁体２８の強度を確保するために設けられており、省略することもできる。前記壁体２８により、前記上部本体１６の内部は４つの通路に分割されるが、４つの通路は前記仕切り壁２３によって形成される２つの通路と２つずつ接続されるので、実質的には２つの通路が形成されていることとなる。そして、前記弁体２９は垂直方向に延伸する前記壁体２８の途中に形成されており、下方に向かって径が小さくなる円錐台形状であり、前記開口２６に上方から挿入されて塞ぐ大きさに形成されており、前記開口２６と接する面には密閉度を高めるためにゴム等のシールが用いられている。
【００２６】
さらに、前記弁２７は前記上部本体１６の内部で上下動可能とするための弾性体であるスプリング３０が配置されており、前記スプリング３０は前記弁体２９の上方で前記壁体２８を取り囲むように配置されており、前記スプリング３０の下端が前記弁体２９の上面に接し、上端が前記上部本体１６の内部に突出するように設けられたストッパー３１によって保持されており、前記弁体２９に下方への力を加えるように配置されている。
【００２７】
前記ニードル１は、前記上部本体１６の内部に、前記壁体２８の１つの壁が前記仕切り壁２３と上下に重なる位置に前記弁２７を配置した後、前記下部本体１７を前記上部本体１６とネジ係合させて組み立てる。この時、前記弁２７の弁体２９は前記スプリング３０によって下方へと押されることで前記下部本体１７の開口２６を塞いでおり、前記弁２７の弁体２９より下方に位置する壁体２８は前記開口２６から下方に突出した状態となっている。そして、前記壁体２８の上方は前記上部本体１６の内部の仕切り壁２３とは離れており、この時には上部本体１６の内部の通路は不完全な状態となっている。
【００２８】
このようにして組み立てた前記ニードル１は前記ボトルホルダー３の底部１５に配置するために、先に前記スプリング２２を前記底部１５の下から中に入れた後、前記スプリング２２を前記鍔部１８によって上方に収縮させるようにして、前記ニードル１を前記底部１５の下から中に入れ、最後に前記キャプ３３で前記底部１５を塞ぐ。
【００２９】
前記ニードル１を前記ボトルホルダー３にセットした状態では、図２に示すように、前記ニードル１は前記スプリング２２によって下方に押し付けられて、前記下部本体１７が前記キャプ３３に保持され、前記底部１５の開口から前記下部本体１７の円筒形の部分が下方に突出した状態となっており、前記底部１５内で最下方に位置することとなる。そして、前記上部本体１６の先端は前記底部１５の頂部の開口よりも下方に位置し、前記ニードル１は前記ボトルホルダー３の底部１５内に収納されており、前記ボトルホルダー３のすり鉢状の底面からは前記ニードルが突出しない状態となるので、使用者が前記ボトルホルダー３からビニール袋９を出し入れする際に、前記ニードル１の先端で怪我をすることが無くなり、安全性が向上する。
【００３０】
実際にウォーターサーバー１０を使用する場合には、このような状態で前記ボトルホルダー３に前記ニードル１が取り付けられており、ビニール袋９を前記ボトルホルダー３にセットした後で、前記ボトルホルダー３をパッキングホルダー８にセットする。この時はまだ前記ニードル１が前記ボトルホルダー３の底面より突出していないので、前記ビニール袋９には孔が開いていない。
【００３１】
図７〜９に示すように、前記ボトルホルダー３の前記底部１５を前記パッキングホルダー８の窪み３２に挿入して、前記ビニール袋９がセットされたボトルホルダー３を前記パッキングホルダー８にセットする。この時、前記パッキングホルダー８の窪み３２に設けられた挿入棒３５の先端を前記ボトルホルダー３の底部１５から下方に突出した前記ニードル１の下部本体１７に挿入する。前記挿入棒３５の先端は段差が設けてあり、先端の一部が前記下部本体１７に挿入される。前記挿入棒３５の前記下部本体１７に挿入される部分の外周面にはゴム等のシール部材４２が取り付けられており、前記ニードル１から前記挿入棒３５へと飲料水が流れる際に漏れるのを防いでいる。
【００３２】
前記挿入棒３５の先端の一部が前記下部本体１７に挿入された後、さらに前記ボトルホルダー３を下方へと押し付けると、前記挿入棒３５によって前記ニードル１が前記ボトルホルダー３の底部１５内で上方へと移動される。これは、前記挿入棒３５によって前記ニードル１の下方への移動が停止され、前記スプリング２２が収縮することにより、前記ニードル１が前記底部１５内で相対的に上方に移動するからである。
【００３３】
このようにして、前記ニードル１が前記底部１５内で相対的に上方に移動すると、前記ニードル１の先端は前記底部１５の頂部、つまり前記ボトルホルダー３のすり鉢状の底面に設けられた開口から徐々に突出し、前記ボトルホルダー３にセットされたビニール袋９に孔を開ける。前記ボトルホルダー３が完全に前記パッキングホルダー８にセットされると、前記ニードル１が前記ビニール袋９内へと最も挿入された状態となり、前記ニードル１の先端部分に設けられた２つの開口２４，２５が前記ビニール袋９内に位置し、前記開口２４，２５からビニール袋９内の飲料水が流れ込む状態となる。
【００３４】
このように前記ニードル１が前記底部１５内で相対的に上方に移動すると同時に、前記ニードル１内では前記弁２７が上方に移動する。図８に示すように、前記挿入棒３５の先端の一部が前記下部本体１７に挿入された時に、前記挿入棒３５の先端が、前記ニードル１の下部本体１７の開口から下方に突出した前記弁２７の壁体２８の下方部分と接して保持することで、前記スプリング３０を収縮させて前記弁２７を前記上部本体１６および前記下部本体１７内部で相対的に上方に移動させることとなる。
【００３５】
これにより、図９に示すように、前記下部本体１７の開口２６を塞いでいた前記弁体２９が相対的に上方へと移動し前記開口２６が開かれる。そして、前記壁体２８が前記上部本体１６内部の仕切り壁２３と接すると前記弁２７の上方への移動が停止され、前記仕切り壁２３、前記壁体２８および前記挿入棒３５内に形成された仕切り壁３６とが上下に直線状に接続され、前記ニードル１から前記挿入棒３５への飲料水が流れる通路が形成される。
【００３６】
このようにして、図９に示すように、前記ボトルホルダー３が前記パッキングホルダー８に完全にセットされると、前記ビニール袋９内の飲料水は、前記ニードル１から前記挿入棒３５へと流れ、前記挿入棒３５から前記冷却タンク４へと流れる。前記ビニール袋９内の飲料水は、図１１に矢印で示すように、初めは、前記ニードル１により開けられた孔から前記ビニール袋９内に挿入された前記ニードル１の２つの開口２４，２５から前記ニードル１および前記挿入棒３５内に形成された２つの通路を通じて、前記冷却タンク４へと流れる。
【００３７】
さらに前記冷却タンク４から加熱タンク５へと飲料水は送られ、前記冷却タンク４および前記加熱タンク５に飲料水がそれぞれ貯留され、冷却タンク４では飲料水が冷却装置により所定の温度に冷却され、加熱タンク５では飲料水は内蔵されたヒーターにより所定の温度に温められる。
【００３８】
前記冷却タンク４および前記加熱タンク５に飲料水が貯留され、飲料水が所定の温度になると、ウォーターサーバー１０は使用可能な状態となる。そうすると、利用者は図１３に示すように、供給口６，７にコップ４１をセットし、希望する飲料水をコップに入れることができる。
【００３９】
図１２に示すように、前記ビニール袋９の飲料水が少なくなるにつれて前記ビニール袋９内の水面が徐々に降下し、前記ニードル１の開口２４が水面上に露出する。この時、もう１つの開口２５からは飲料水が流れ続けており、前記ニードル１および前記挿入棒３５内の１つの通路は飲料水が流れている。しかし、もう１つの通路は飲料水が流れなくなり、代わりに挿入棒３５の下方から冷却タンク４内の空気が流入する。通路に流入した空気は前記開口２４を通じてビニール袋９内へと流れ込み、真空に近い状態で流れにくくなっていた前記ビニール袋９内に残っている飲料水を流出させる働きをする。
【００４０】
前記ビニール袋９内の飲料水が無くなったら、前記ボトルホルダー３を前記パッキングホルダー８から取り外して、新しい飲料水の入ったビニール袋９に交換する。そのために、前記ボトルホルダー３を持ち上げると、前記挿入棒３５が前記ニードル１から離れる。すると、前記ニードル１は前記スプリング２２によって下方に力が加えられているので前記ボトルホルダー３の底部１５内で相対的に下方に移動し、前記ニードル１の先端は前記底部１５内へと移動する。同時に、前記ニードル１内の弁２７も前記スプリング３０によって下方に力が加えられているので、前記上部本体１６および前記下部本体１７内を相対的に下方へと移動し、前記下部本体１７の開口を塞ぐ。これにより、前記ビニール袋９内あるいは前記上部本体１６内に飲料水が残っていたとしても、前記ニードル１から飲料水が外部へと漏れることはない。
【００４１】
このようにして、前記ボトルホルダー３を前記パッキングホルダー８から取り外したら、前記ビニール袋９からは前記ニードル１が外された状態となり、空になったビニール袋９を取り出して新しい飲料水の入ったビニール袋９をセットする。この時、空になったビニール袋９にもし飲料水が残っていた場合、前記ボトルホルダー３の底面の開口から残水が前記底部１５へと流れ込む可能性があるが、前記キャップ３３によって前記底部１５から飲料水が漏れるのを防いでおり、また、前記キャップ３３を取り外すことで底部１５に入った残水を排水することが可能であり、さらに、前記ニードル１およびスプリング２２を取り外せば前記底部１５内を掃除することもできる。
【００４２】
このように、本考案のニードル１を用いれば、ウォーターサーバー１０を使用する際に、ビニール袋９をセットする時、あるいは交換する時にニードル１が突出することがないので、使用者は安全に操作することができる。また、ニードル１の先端を使用者が直接触れることが無いので衛生面でも優れた効果を奏する。
【符号の説明】
【００４３】
１      ニードル
２      本体
３      ボトルホルダー
４      冷却タンク
５      加熱タンク
６      供給口
７      供給口
８      パッキングホルダー
９      ビニール袋
１０    ウォーターサーバー
１１    飲料水用通路
１２    空気用通路
１３    蓋
１４    パッキン
１５    底部
１６    上部本体
１７    下部本体
１８    鍔部
１９    係合部
２０    鍔部
２１    係合部
２２    スプリング
２３    仕切り壁
２４    開口
２５    開口
２６    開口
２７    弁
２８    壁体
２９    弁体
３０    スプリング
３１    ストッパー
３２    窪み
３３    キャップ
３５    挿入棒
３６    仕切り壁
３７    接続部
３８    溝
３９    鍔
４０    鍔
４１    コップ
４２    シール部材
【図１】
0003164948.tif 000003
【図２】
0003164948.tif 000004
【図３】
0003164948.tif 000005
【図４】
0003164948.tif 000006
【図５】
0003164948.tif 000007
【図６】
0003164948.tif 000008
【図７】
0003164948.tif 000009
【図８】
0003164948.tif 000010
【図９】
0003164948.tif 000011
【図１０】
0003164948.tif 000012
【図１１】
0003164948.tif 000013
【図１２】
0003164948.tif 000014
【図１３】
0003164948.tif 000015